(57)【要約】【課題】ラッチ部の耐久性を向上させることにより、ロックの不要な解除を防止して、長期にわたってすぐれた電源性能を発揮することが可能な電池パックを提供する。【解決手段】ロック機構を、外装ケース２、ラッチ部５、スライドアーム１０等の組み合わせで構成する。外装ケース２のスライド台２２に開口部２０を設け、その周縁に規制部２０１を一つ設ける。半円状突出部５４を側面に形成した安全ロック部５２を持つラッチ部５を、前記突出部５４が規制部２０１と当接できるように開口部２０に挿通させる。スライドアーム１０の開口部１０４における係止側部１０５にスライド自在に安全ロック部５２を係止させる。スライド台２２にはスリット２１を開け、半円状突出部５４が規制部２０１と当接した際に、規制部２０１がスリット２１側に退避できる弾性部２０２を設ける。【選択図】図４
2010123486.tif 000002
【特許請求の範囲】
【請求項１】
給電対象側と係脱自在な掛止突起を備えたスライド部材が、１以上の素電池とともに外装ケースに収納されてなる電池パックであって、
外装ケースの主面に、第一の開口部及び第二の開口部が近接して並設され、前記第一の開口部又は前記第二の開口部を介して外部からラッチ部がスライド部材に係合され、
スライド部材はラッチ部の操作によって、外装ケースの外部に掛止突起が突出する第一の位置から、掛止突起が外装ケース側に退避する第二の位置までスライド自在に配され、
さらにラッチ部は膨出部を有し、当該膨出部が第一の開口部内に存在するように配され、当該第一の開口部の第二開口部に近接する周縁部分には、前記膨出部と当接して前記スライド動作を規制する第一の突出部が形成され、
前記膨出部と当接した第一の突出部を含む外装ケース部分が、前記スライド動作に伴ってラッチ部側から第二の開口部中へ退避することにより弾性変形する  
ことを特徴とする電池パック。
【請求項２】
膨出部の側部には、前記第一の開口部周縁において前記第一の突出部と当接する第二の突出部が設けられている
ことを特徴とする請求項１に記載の電池パック。
【請求項３】
前記膨出部の先端には係合突起が設けられ、
係合突起は第一の開口部に挿通されてスライド部材に係合され、
前記第一の突出部および第二の突出部が各々一つずつ配設されている
ことを特徴とする請求項２に記載の電池パック。
【請求項４】
前記第二の開口部は前記主面に複数個所形成され、
前記ラッチ部は複数の係合突起を有しており、
各係合突起が第二の開口部に挿通されてスライド部材に係合され、
第二の開口部周縁とこれに挿通された係合突起との間には、前記弾性変形を行うための間隙が存在する
ことを特徴とする請求項１又は２のいずれかに記載の電池パック。
【請求項５】
第一の突出部および第二の突出部は半円形の外観形状を有する
ことを特徴とする請求項２〜４のいずれかに記載の電池パック。
【請求項６】
スライド部材は、外装ケースの内部において、第二の位置から第一の位置に向けて付勢されている
ことを特徴とする請求項１〜５のいずれかに記載の電池パック。
【発明の詳細な説明】
【技術分野】
【０００１】
本発明は、ラッチ部を備えた電池パックに関し、特に、ラッチ部周辺のロック機構の耐久性を向上させる技術に関する。
【背景技術】
【０００２】
近年、ノート型ＰＣやＰＤＡ、携帯電話、トランシーバ等に代表される携帯型電子機器の電源として、繰り返し利用が可能なニッケルカドミウム電池、リチウムイオン電池などの二次電池が利用されている。これらの二次電池は給電対象の電子機器の出力や形態に合わせ、成型樹脂からなる外装体（外装ケース）に素電池として１または複数個にわたり収納され、電池パックとして利用される。電池パックは対応する電子機器に合わせた形状に形成され、電子機器に取り付けられることにより、例えば当該機器の外装体の一部としても機能できるようになっている。
【０００３】
ここで図７（ａ）は従来の電池パックの構成例を示す図である。当図に示す電池パックは、樹脂成型された皿状の外装ケースとカバーの間に、複数の素電池と制御基板等を収納してなる。紙面手前側側面には、電子機器側に電力供給するためのコネクタが備えられている。外装ケースには、電池パックを電子機器側から容易に取り外すことができるように、ユーザが指でスライド操作して電池パックを脱着自在にするためのラッチ部が設けられている。
【０００４】
図７（ｂ）は、ラッチ部の背面周辺の構造を示す外装ケースの内部図である。ラッチ部の背面には係合突起を持つ安全ロック部が配設されている。外装ケースの開口部から安全ロック部が挿入された状態で、安全ロック部の係合突起に長尺状のスライドアーム（図３の１０を参照）が嵌合されている。
また外装ケースの開口部周縁には、係止状態と係止ロック状態のそれぞれにおけるラッチ部の位置の境界において、当該開口部の径を狭めるように一対の規制部（山）が突設されている。さらにラッチ部には、安全ロック部の側部において、前記規制部の各々と当接するように半円状突出部が配設されている。
【０００５】
したがって、ユーザーがラッチ部表面のノブを指で操作し、ケース表面に沿ってスライド往復させると、ラッチ部の動きに合わせてスライドアームが連動し、当該スライドアームの一端に配された掛止突起が外装ケースから出退する。掛止突起が外部に突出した状態では電池パックが電子機器側と係合し（係止状態）、掛止突起が外装ケース内部に退避した状態（係止解除状態）では電池パックを電子機器側から外すことができる。
【０００６】
ここで係止状態において、さらに掛止突起を外部に突出させる方向にラッチ部を強くスライドさせると、スライドアームの位置は固定されたまま、安全ロック部の係合突起がスライドアームに対して同方向にスライドする。これによって前記した係止状態がロックされる（図７（ｂ）に示す係止ロック状態）。一方、ユーザーがラッチ部を逆の方向にスライドさせれば、この係止ロック状態は解放される。このように電池パックではラッチ部、外装ケース、スライドアームの組み合わせでロック機構が構成される。
【０００７】
当該電池パックを電子機器側に装着し、係止状態にした場合、ラッチ部のスライド動作時に規制部に半円状突出部を当接させ、規制部が半円状突出部の表面を乗り越えるまでスライド動作を完了させないと係止ロック状態にならない。また、いったん係止ロック状態となったのちは、規制部と半円状突出部の当接が障害となるので、前記と逆の方向に乗り越え動作を行わなければ係止ロック状態を解除することはできない。このようなロック機構を利用することで、電池パックでは係止ロック状態が不用意に解除されて、電子機器側から電池パックが脱落することのないように工夫されている。
【特許文献１】特開２００３−３１７６８０号公報
【特許文献２】特開２００５−１２９４６４号公報
【発明の開示】
【発明が解決しようとする課題】
【０００８】
しかしながら、上記した従来の電池パックでは、ラッチ部のスライド動作に伴って安全ロック部の半円状突出部が規制部の表面を乗り越えるたびに、摩擦で半円状突出部や規制部が削り取られ、ロック機構が弱くなる耐久性の問題がある。このため、ラッチ部の操作を多用する用途では、ロック機構の劣化によって電池パック自体の寿命を短くさせるおそれがある。
【０００９】
この問題は、電池パックを長期にわたり良好に使用する上において、特に解決すべき課題である。
本発明は以上の課題に鑑みてなされたものであって、ラッチ部周辺のロック機構の耐久性を向上させることにより、長期にわたってすぐれた性能を発揮することが可能な電池パックを提供することを目的とする。
【課題を解決するための手段】
【００１０】
上記課題を解決するために、本発明は、給電対象側と係脱自在な掛止突起を備えたスライド部材が、１以上の素電池とともに外装ケースに収納されてなる電池パックであって、
外装ケースの主面に、第一の開口部及び第二の開口部が近接して並設され、前記第一の開口部又は前記第二の開口部を介して外部からラッチ部がスライド部材に係合され、スライド部材はラッチ部の操作によって、外装ケースの外部に掛止突起が突出する第一の位置から、掛止突起が外装ケース側に退避する第二の位置までスライド自在に配され、さらにラッチ部は膨出部を有し、当該膨出部が第一の開口部内に存在するように配され、当該第一の開口部の第二開口部に近接する周縁部分には、前記膨出部と当接して前記スライド動作を規制する第一の突出部が形成され、前記膨出部と当接した第一の突出部を含む外装ケース部分が、前記スライド動作に伴ってラッチ部側から第二の開口部中へ退避することにより弾性変形する構成とした。
【００１１】
ここで、膨出部の側部には、前記第一の開口部周縁において前記第一の突出部と当接する第二の突出部が設けられている構成とすることもできる。
また前記膨出部の先端には係合突起が設けられ、係合突起は第一の開口部に挿通されてスライド部材に係合され、前記第一の突出部および第二の突出部が各々一つずつ配設されている構成とすることもできる。
【００１２】
また、前記第二の開口部は前記主面に複数個所形成され、前記ラッチ部は複数の係合突起を有しており、各係合突起が第二の開口部に挿通されてスライド部材に係合され、第二の開口部周縁とこれに挿通された係合突起との間には、前記弾性変形を行うための間隙が存在する構成も取り得る。
第一の突出部および第二の突出部は半円形の外観形状を有するように構成するのが好適である。
【００１３】
スライド部材については、外装ケースの内部において、第二の位置から第一の位置に向けて付勢されるように構成するのが望ましい。
ここで、第一の位置はパック電池が電子機器などの給電対象に対する係止状態或いは係止ロック状態となる位置とし、第二の位置は、前記係止が解除される状態となる位置とすることができる。
【発明の効果】
【００１４】
以上の構成を有する本発明のパック電池によれば、第一の位置及び第二の位置の間のスライド動作時において、外装ケースの第一開口部周縁に設けられた第一突起部（規制部）がラッチ部側と当接すると、スライド動作の進行に伴って、前記規制部が設けられた外装ケース部分（第二開口部に近接する第一開口部の周縁部分）が、ラッチ部側から第二開口部側に退避する方向に向けて弾性変形する。したがって、このような弾性変形を行わない従来の電池パックに比べ、規制部やこれに当接するラッチ部が、互いの接触によって摩耗するのが低減される。よって長期にわたり、ラッチ部による良好なロック機構を維持することができる。
【００１５】
また、このように本発明では規制部やこれに当接するラッチ部の摩耗が低減されているので、規制部の配設数を１つのみとしても、ラッチ部によるロック機構を良好に実現できる。このように規制部を少なくできる分、電池パックの構造を簡単化でき、電池パックの小型化を図る上でも大きな利点となる。
【発明を実施するための最良の形態】
【００１６】
以下に、本発明の各実施の形態を説明するが、当然ながら本発明はこれらの構成に限定されない。すなわち、本発明の技術的範囲を逸脱しない範囲で適宜変更して実施することができる。
＜実施の形態１＞
図１は、実施の形態１における電池パック１の外観図である。図１（ａ）は外装ケース側から見た斜視図、図１（ｂ）はカバー側から見た斜視図をそれぞれ示す。
【００１７】
電池パック１はｘ方向を長手方向とし、ｙ方向を短手（幅）方向とする長尺状の直方体であって、皿状の外装ケース２とカバー３とを各々の周囲で貼り合わせてなる。樹脂成型品の外装ケース２の表面には、ｘ方向にスライド可能なラッチ部５が配設されている。ラッチ部５は、当該電池パック１を給電対象である電子機器（不図示）、例えば、ノート型パーソナルコンピュータ（ノートＰＣ）に対して脱着自在に係止し、又は外す際の操作に用いる。ラッチ部５の近傍には、ラッチ部５の位置によって、当該電池パック１が電子機器側とロック状態またはロック解除状態のいずれにあるかを示すマークが形成されている。電池パック１の厚み方向（ｚ方向）の一側面には、電子機器側と電気的に接続するための所定のコネクタ４が形成されている。当該電池パック１は、電子機器側とは主に図１（ｂ）に示すカバー３の表面において接触するように配設される。
【００１８】
図２は、電池パック１の内部構成を示す図である。この図ではカバー３を取った状態の内部構成を示す。
電池パック１は、長方形状主面を持つ皿状の外装ケース２とカバー３との間に、素電池Ｃ１〜Ｃ４及び制御基板３０、スライドアーム１０等を収納し、内部封止して構成される。
【００１９】
素電池Ｃ１〜Ｃ４は、ここではリチウムイオン電池であって、外装ケース２の幅方向奥側で同順に直列に接続されて収納されている。素電池の接続方法は電子機器側の要求に応じて任意に設定する。
外装ケース２の幅方向手前側には制御基板３０が収納される。当該制御基板３０は、前記コネクタ４を通じた素電池Ｃ１〜Ｃ４の出力を制御するとともに、当該素電池Ｃ１〜Ｃ４を温度管理するためのサーミスタ素子、および熱暴走時に通電を遮断するＰＣＴ素子、残容量を演算し異常を検出する等の機能を備えるマイコン等が実装される。  
【００２０】
なお、制御基板３０の回路にＬＥＤ素子を接続し、電池パックの外面にＬＥＤ素子の発光窓を開口して、当該ＬＥＤ素子をバッテリーの残量を示すためのＬＥＤインジケータとして利用することもできる。
図２中に示す２９は、充放電を制御するために制御基板３０に半田付け、素電池Ｃ１に粘着されたサーミスタを示す。
【００２１】
外装ケース２の内部主面において、制御基板３０及び素電池の各収納領域間はリブ２４で区画され、外装ケース２の手前で側面をなすリブ２３との間にスライド溝２５、２６が設けられている。このスライド溝２５、２６に対し、軸状のスライドアーム１０がｘ方向および逆ｘ方向に沿って、後述する第一のスライド位置（係止状態或いは係止ロック状態）から第二のスライド位置（係止解除状態）の間でスライド自在に収納される。すなわち、安全ロック部５２をｘ方向にスライドさせて同方向にスライドアーム１０をスライドさせると、当該スライドアーム１０の一方の端部において、電子機器側と係止するために設けられた掛止突起１０１が外部に露出する位置（第一のスライド位置）に移行し、電池パック１が電子機器側に対して係止される状態となる。一方、安全ロック部５２をｘ方向にさらにスライドさせると、前記係止状態を維持したまま、スライドアーム１０の位置がロックされる（係止ロック状態）。
【００２２】
スライドアーム１０を前記方向と逆にスライドさせると、係止ロック状態が解除されて係止状態に戻る。さらに同方向にスライドさせると、掛止突起１０１が外装ケース２側に退避した係止解除状態となる。なお通常は、コイルばねＳＰ（図３を参照）の付勢力をスライドアーム１０が受けることにより係止状態が保たれているので、係止解除状態とするためは、このコイルばねＳＰの付勢力に逆らってラッチ部５をスライドさせる必要がある。係止解除状態では、スライドアーム１０はその他方の端部１０２が外装ケース２の側面に設けられた開口部２８から外部或いは外部表面に露出する位置に移行する(第二のスライド位置)。
【００２３】
次に示す図３は、電池パック１におけるロック機構の構成を具体的に説明するための組図である。
ロック機構は当図に示すように、外装ケース２と、当該外装ケース２の開口部２０に安全ロック部５２が存在するように配されたラッチ部５と、外装ケース２の内部側からラッチ部５に嵌合されるスライドアーム１０、およびスライドアーム１０を掛止突起１０１を上述の第二のスライド位置（係止解除状態）から第一のスライド位置（係止状態或いは係止ロック状態）に付勢するコイルばねＳＰ等で構成される。
【００２４】
スライドアーム１０は、外装ケース２の長手方向に沿って一筋に配されたスライド溝２５、２６に収納される。このスライド溝２５、２６の間には、電池パック１の厚み方向（ｚ方向）高さが高められてなる矩形状主面のスライド台２２が設けられる。さらにスライド台２２の主面中央には、第一の開口部として、ｘ方向を長手とする長方形状の開口部２０が設けられ、開口部２０の周縁（少なくともスリット２１に近接する周縁）から当該開口部２０の径を部分的に狭めるように規制部２０１が突設されている。また、スライド台２２には第二の開口部として、短冊状のスリット２１が規制部２０１を形成した開口部２０周縁に近接して並設され、開口部２０とスリット２１との間でｙ方向に沿って撓むことが可能な弾性部２０２が配設されている。換言するなら、開口部２０の近傍に、並設してスリット２１を設けることにより、弾性を備える弾性部２０２を備えることができる。開口部２０にスリット２１を併設させる妥当な距離としては、弾性部２０２がスリット２１側に良好に退避できる程度に近い距離が望ましいが、逆にスリット２１と開口部２０との間が狭いと、後述する規制部２０１及び半円状突起部５４によるクリック感が低下する。これらのことを考慮して、２ｍｍ程度の距離とするのが望ましい。
【００２５】
なお、スリット２１の本数は一本に限定されず、その形状も短冊状に限らない。
スライドアーム１０は樹脂成型で構成された軸状のスライド部材であって、一方の端部１０２は給電対象の電子機器に設けられた出没体による別のロック機構（不図示）を解除するための突起として作用する。具体的には、前記電子機器において、前記開口部２８の内部に対して出没自在に配された出没体（不図示）が、突出方向にスプリング等で付勢されて配設されている。この出没体は、前記係止状態または前記係止ロック状態においては開口部２８の内部に突出して電池パック１側と係止する。一方、前記係止解除状態においてはスライドアーム１０の端部１０２が外部に露出することにより、出没体は当該端部１０２に押され、前記付勢力に抗して開口部２８の外部に押し出される。これにより前記係止が解かれ、出没体による前記ロックが解除される。
【００２６】
スライドアーム１０の他方の端部は、係止状態において電子機器側と係合するための掛止突起１０１が形成されている。その長手方向の中央部１０３は、前記スライド台２２の主面と面接触し、ｘ方向に沿って摺動する板状部として構成されている。
中央部１０３の中央にはラッチ部５の安全ロック部５２と嵌合する矩形状の開口部１０４が設けられ、ｘ方向に沿った一対の周縁部にはステップ状の係止側部１０５が設けられている。係止側部１０５のｘ方向長さは、ラッチ部５の係合突起５３Ａ、５３Ｂがロック動作のため同方向にスライドできるように、当該係合突起５３Ａ、５３Ｂのｘ方向長さよりも長く設定されている。
【００２７】
なお、中央部１０３の側面には、コイルばねＳＰの一端側に挿通してこれを固定する係止軸１０６が設けられている。コイルばねＳＰの他端側は、スライド台２２を囲むように配設された係止壁２７と当接しており、これによってコイルばねＳＰは係止軸１０６と係止壁２７との間で圧縮された状態で配設されている。このコイルばねＳＰの復元力により、スライドアーム１０は外装ケース２の内部においてｘ方向に付勢され、通常は係止状態をなすように調整されている。
【００２８】
ラッチ部５は樹脂成型品であって、矩形状主面を持つ板体からなる本体部５０の一方の主面にノブ５１が形成され、他方の主面には本体部５０からの膨出部として安全ロック部５２が形成されてなる。当該ラッチ部５は、スライドアーム１０を外装ケース２に対してスライドさせるとともに、掛止突起１０１が外部に突出した係止ロック状態で、外装ケース２に対するスライドアーム１０の位置をロックする役目をなす。
【００２９】
ノブ５１は図１（ａ）に示すように、半円形の断面をもつ隆起部であって、ユーザーが指で容易に操作できる形状を持つ。
安全ロック部５２は、構成的には逆ｚ方向に向かって先端に一対の係合突起５３Ａ、５３Ｂが一定間隔で立設されてなる。このうち、一方の係合突起５３Ｂの側面部には、前記規制部２０１を第一の突出部とし、これと当接するための第二の突出部として半円状突出部５４が設けられている。各々の係合突起５３Ａ、５３Ｂの先端は、スライドアーム１０の開口部１０４周辺に設けられた係止側部１０５に対して嵌合し、かつ、係合突起５３Ａ、５３Ｂが係止側部１０５に沿ってｘ方向にスライドできるように配される。
【００３０】
この構成によりスライドアーム１０は、外装ケース２に対して第二のスライド位置（係止解除状態）から第一のスライド位置（係止状態および係止ロック状態）の間を自在にスライドできるが、第一のスライド位置における係止状態および係止ロック状態の相互移行時には、外装ケース２に対するスライドアーム１０の位置は固定される。つまり、スライドアーム１０は係止状態で固定されたまま、ラッチ部５のみが係止側部１０５においてスライドアーム１０上をスライドし、スライドアーム１０がロックまたはロック解除される。
【００３１】
安全ロック部５２は外装ケース２の開口部２０に挿通されてスライドアーム１０と係合され、ラッチ部５をｘ方向に強くスライドさせた時に、スライドアーム１０の位置を掛止突起１０１が突出した状態でロックする役目をなす。このロックは、ラッチ部５をｘ方向と逆にスライドさせることで解除される。このロック機構を利用することで、ラッチ部５が不用意に動いてしまい、電子機器側から電池パック１が脱落されるのを防止できる。
【００３２】
このような構成を有するパック電池１では、ラッチ部５周辺の部材の耐久性が従来よりも格段に向上しており、長期にわたって良好なロック機構が得られるようになっている。
図４は、ラッチ部５の固定機構を説明するための図である。
図４（ａ）、（ｂ）は、スライドアーム１０の掛止突起１０１が突出した状態でラッチ部５をロックした状態（係止ロック状態）における、ラッチ部５とスライド台２２との配置関係を示す図である。図４（ｃ）は、係止状態（および係止解除状態）におけるラッチ部５とスライド台２２との配置関係を示す部分斜視図である。  
【００３３】
なお説明上の都合のため、図４ではスライドアーム１０を省略している。
図４（ａ）、（ｂ）の係止ロック状態から、ラッチ部５を操作してロックを解除するとき、ロック安全部５２の半円状突出部５４は開口部２０の周縁に設けられた規制部２０１と当接し、その表面を乗り越えるようにして逆ｘ方向に移動する。この乗り越えが完了すると、ラッチ部５はロックが外され、スライドアーム１０は係止状態となる（図４（ｃ））。この後、さらにラッチ部５を逆ｘ方向にスライドさせると、スライドアーム１０は係止解除状態に移行する。
【００３４】
ここで、半円状突出部５４に対して規制部２０１が当接すると、ラッチ部５のスライド動作に伴い、弾性部２０２がスリット２１の幅方向（ｙ方向）に沿ってスリット２１中へ撓むことで、突出部５４の表面から比較的容易に退避する。このため、規制部が退避しない従来のラッチ部に比べ、スライド動作を頻繁に行っても規制部２０１が削り取られるのを大幅に抑制することができ、規制部や半円状突出部が摩耗することによって、係止ロック状態が不用意に解除されるのを防止できる。また規制部２０１の摩耗を低減できることから、規制部２０１を半円状突出部５４が乗り越える際のクリック感（節度）の低下も防止できるので、ラッチ部５における良好な操作性を維持することもできる。
【００３５】
また、電池パック１ではこのように規制部２０１や半円状突出部５４の摩耗が低減されているので、図７に示す従来構成のように、各々を２つずつ設ける必要がない。よって、規制部２０１及び半円状突出部５４を一つずつ設けるだけでも確実にロック機構を実現できる。したがって、その分、従来よりもラッチ部周辺の構成を簡素化・小型化でき、電池パックの小型軽量化に貢献できるメリットも奏される。
【００３６】
なお上記では係止ロック状態から、係止状態および係止解除状態への移行を説明したが、本発明の効果はもちろん、これとは逆に、係止状態および係止解除状態から、係止ロック状態へ移行しても同様に得られる。すなわち図４（ｃ）の状態から、ラッチ部５（ロック安全部５２）をｘ方向にスライドさせると、ラッチ部５は係止状態または係止解除状態から、図４（a）、（ｂ）に示す係止ロック状態に移行する。この場合も、規制部２０１が半円状突出部５４と当接することで弾性部２０２がスリット２１中へ撓むことによって、規制部２０１及び半円状突出部５４の摩耗を効果的に防止できるので、安定したロック機構とクリック感を長期にわたり維持できる。
【００３７】
＜実施の形態２＞
次に本発明の実施の形態２について、実施の形態１との差異を中心に説明する。
図５は、本実施の形態の電池パックにおけるラッチ部５ａ周辺の構成を示す組図である。図６（ａ）はスライド台周辺の正面図、図６（ｂ）、（ｃ）はロック状態またはロック解除状態におけるラッチ部周辺の構成を示す部分斜視図である。
【００３８】
本電池パックが電池パック１と異なる点は、外装ケース２のスライド台２２ａの表面において、複数のスリット（ここでは３つの短冊状スリット２１０（第二の開口部）、２１１（第一の開口部）、２１２（第二の開口部））がｘ方向を長手として形成され、各々のスリット２１０、２１１、２１２に対し、ラッチ部５ａの背面に設けられた係合突起５５Ａ、ガイド部５６、係合突起５５Ｂのいずれかが挿通され、スライドアーム１０と係合されている点にある。スライド台２２の中央のスリット２１２には、その幅方向の周縁に一対の規制部２１３Ａ、２１３Ｂが配設される。これらはそれぞれ図６（ａ）のように、ガイド部５６に設けられた半円状突出部５６１、５６２と当接するようになっている。係合突起５５Ａ、５５Ｂがガイド部５６と対向する裾付近の側面は、本体部５０に向かってスロープ状に形成され、当該側面とスリット２１０、２１２の周縁との間に一定の間隔５５Ｃ，５５Ｄが確保されている。
【００３９】
このような構成によっても、実施の形態１と同様に、規制部や半円状突出部が摩耗してラッチ部のロック機構が経時的に耐久性を失う問題が抑制され、長期にわたって良好な固定機構が維持される。すなわち、ラッチ部５ａをスライド操作させると、ガイド部５６はスライド台２２ａにおける規制部２１３Ａ、２１３Ｂをスリットの幅方向へ押しのける。これにより、弾性部２１４、２１５はスリット２１０、２１２の幅方向に向かって退避するように撓む。この際、係合突起５５Ａ、５５Ｂの側面とスリット２１０、２１２の周縁との間に一定の間隔５５Ｃ、５５Ｄがあるので、弾性部２１４、２１５は良好に退避するように変形できる。
【００４０】
なお、実施の形態２ではガイド部５６に２つの半円形突出部５６１、５６２を設け、それぞれを規制部２１３Ａ、２１３Ｂのいずれかと当接するように設けているが、たとえば半円形突出部と規制部とを一つずつ備えるように構成することも可能である。このような設定を行うことで、電池パックの構成の簡略化と小型化を有利に図ることができる。
＜その他の事項＞
上記実施の形態では、素電池としてリチウムイオン電池を例示したが、当然ながらこれに限定するものではない。その他ニッケル水素電池、ニッケルカドミウム電池、リチウムイオンポリマー電池等、各種二次電池を挙げることができる。また、素電池形状も角型に限定せず、円筒型やボタン型であってもよい。素電池の個数も任意に設定することができる。
【産業上の利用可能性】
【００４１】
本発明は、例えばノート型コンピュータ、ＰＤＡのほか、ポータブルＤＶＤプレーヤー、携帯型ＧＰＳ，トランシーバ等の小型電子機器の主電源として幅広く利用することが可能である。
【図面の簡単な説明】
【００４２】
【図１】実施の形態１の電池パックの外観図である。
【図２】電池パックの内部を示す図である。
【図３】ラッチ部周辺の構成を示す部分組図である。
【図４】動作時のラッチ部周辺の構成を説明するための図である。
【図５】実施の形態２の電池パックのラッチ部周辺の構成を示す部分組図である。
【図６】動作時のラッチ部周辺の構成を説明するための図である。
【図７】従来の電池パックにおけるラッチ部周辺の構成を説明するための図である。
【符号の説明】
【００４３】
１    電池パック
２    外装ケース
３    カバー
５    ラッチ部
１０    スライドアーム
２０    開口部
２１、２１０、２１１、２１２    スリット
２２    スライド台
２５    スライド溝
５０    本体部
５１    ノブ
５２    安全ロック部
５３Ａ、５３Ｂ、５５Ａ、５５Ｂ    係合突起
５４、５６１、５６２    半円状突出部
５５Ｃ、５５Ｄ    間隙
５６    ガイド部
１０１    掛止突起
１０２    端部  
１０３    中央部
１０４    開口部
１０５    係止側部    
２０２、２１４、２１５    弾性部
【図１】
2010123486.tif 000003
【図２】
2010123486.tif 000004
【図３】
2010123486.tif 000005
【図４】
2010123486.tif 000006
【図５】
2010123486.tif 000007
【図６】
2010123486.tif 000008
【図７】
2010123486.tif 000009